(57)【要約】【構成】本発明は、地震発生時あるいは他の自然災害発生時内部に避難する人々を保護するために好適な居住用建造物、産業建造物および商業用建造物のモジュラー式安全確保セルである。高抵抗鋼製管状要素（１）を高抵抗鋼製の継ぎ手（２）によって接続し、これら管状要素（１）を相互に平行に配置して平坦面または湾曲面を形成する。この平坦面または湾曲面をその継ぎ手（２）によって相互に接続し、これらの平坦面、湾曲面、継ぎ手（２）の個数が少なくとも３であり、上記管状要素（１）は十分なブロック手段（３）によって継ぎ手（２）内に固定し、上記安全確保セルの外側は瓦礫から保護する保護手段（４）で被覆し、そして内側は家屋、オフィスまたは仕事場の壁、天井およびフローリングを模倣した内張りパネル（５）で被覆する。【選択図】図１
2015523481.tif 000002
【特許請求の範囲】
【請求項１】
地震発生時あるいは他の自然災害発生時、内部に避難する人々の保護に適するように、高抵抗鋼製の継ぎ手（２）によって接続する高抵抗鋼製の管状要素（１）で構成された居住及び産業並びに商業用建造物のためのモジュラー式の安全確保セルにおいて、
前記継ぎ手（２）によって接続される平坦面または湾曲面を構成するために互いに平行に配置された前記管状要素（１）を有し、
前記平坦面または湾曲面、および前記継ぎ手（２）の個数が少なくとも３つ有り、
ブロック手段（３）に適する方法によって前記継ぎ手（２）内で固定される前記管状要素（１）であって、瓦礫から保護する保護手段（４）で外側を被覆した前記安全確保セルであり、そして、
前記安全確保セルの幅または高さを調節するために、前記管状要素（１）が前記継ぎ手（２）内で滑り移動可能であり、目的の幅または高さを設定して、その幅および高さに調節された前記安全確保セルであり、さらに、
前記安全確保セルの内側を家屋、オフィスまたは仕事場の壁、天井および床の構成材質に擬した被覆用のパネル（５）によって被覆したことを特徴とする安全確保セル。
【請求項２】
前記安全確保セルが、その底面部分を構成する前記管状要素（１）と、円筒面を作るアーチ状天井を形成して並列させた弓型の管状要素（６）とで構成される請求項１に記載の安全確保セル。
【請求項３】
前記瓦礫から保護する手段（４）が保護ネットまたはネット状の鋼板である請求項１または２に記載の安全確保セル。
【請求項４】
前記壁の内側クラッドのパネル（５）がプラスターボードである請求項１に記載の安全確保セル。
【請求項５】
前記管状要素（１）の構成する底面部分の表面がゴム製支持体に置かれた請求項１に記載の安全確保セル。
【請求項６】
側面および上面をそれぞれ前記壁および前記天井から所定の距離を離して設けた請求項１に記載の安全確保セル。
【発明の詳細な説明】
【技術分野】
【０００１】
本発明は、地震発生時あるいは他の自然災害発生時に内部に避難する人々を保護し、避難者が倒壊する構造物や落下してくる瓦礫によって打撃を受けることを防止するのに好適な、居住用建造物（building）、産業用建造物および商業用建造物のモジュラー式安全確保セルに関する。この安全確保セルは、これを装備した建造物本体の内側に完全にフィットし、建造物の正常な機能を阻害することもなく、また建造物の美観を損ねることもない。
【背景技術】
【０００２】
地震発生時には、いくつもの異なる指示が住民等に発せられる。一部の指示はベッドやテーブルの下に避難することを求め、一部の指示は支持主梁の下に止まることを求め、あるいは直ちに逃げ出すことを求め、あるいは避難者にこれらを求めない場合もある。建造物の構造が倒壊することで打撃を受ける可能性があるからである。確かに、一部の公共建造物の場合には“安全避難（ｓｕｐｅｒ−ｓａｆｅ）”域があり、地震発生時に、この領域に避難することが指示されているが、一般家屋の場合、建造物の建築基準によって求められた耐震保護が適用されているに過ぎない。
【先行技術文献】
【特許文献】
【０００３】
【特許文献１】ＪＰ１０３０６６１３
【特許文献２】ＦＲ２７５２２３Ａ１
【特許文献３】ＵＳ２００９/２９６４２０Ａ１
【特許文献４】ＦＲ２７５３２２３Ａ１
【発明の概要】
【０００４】
現状の使用条件を制限せずに家屋すなわち建造物の一部の領域に個別に対策を取ることが必要と考えられるが、日々の居住性を制限せずに、“装甲化収納家具（ａｒｍｏｕｒｅｄ  ｗａｒｄｒｏｂｅ）”を利用し、これを家屋に挿入して結果として日々利用する領域を奪うことは安易に過ぎる。
【０００５】
リビングスペースを安全にするこの問題に対する一つの解決策はＪＰ１０３０６６１３に開示されている。この解決策では、波形加工チューブを利用して、地震発生時にここに人々を非難させて保護する。
【０００６】
居住空間の一部に安全対策を取る上記の解決策の場合、この居住空間の外観および居住性が完全に変わるだけでなく、組み込みが困難である。
【０００７】
安全対策を取る場所については、特定のドアを開けることなく、階段を下りることもなく、また貴重な時間を取られることもなく直ちにたどり着ける家屋すなわち建造物の中心になければならない。
【０００８】
組み込むという観点に立てば、これは専用の作業や特定の装置を使用することなく組み込み可能な構造体でなければならない。
【０００９】
１）組み込みおよび使用については、簡単かつ簡明でなければならない。
２）建造物に対して建築法違反があってはならない。
３）建造物に対して余計な負荷を与えないように軽量でなければならい。
４）コストについては、万人に利用可能なコストでなければならない。
５）標準化でき、全世界に輸送可能な製品でなければならない。
【００１０】
ＦＲ２７５２２３Ａ１には、地震発生時や他の自然災害発生時に内部に避難する人々を保護するために好適な居住用建造物、産業用建造物および商業用建造物の安全確保セルが開示されている。この安全確保セルは金属製の管状要素（１）からなり、これら要素は金属製継ぎ手（２１、３１）によって接続される。上記管状要素（１）は相互に平行に配置され、平坦面か湾曲面を構成する。この場合、これら面は相互に継ぎ手（２１、３１）によって接合される。上記面および上記継ぎ手の個数は少なくとも３であり、上記管状要素（１）は上記継ぎ手に好適なブロック手段（管状要素（１）断面の狭窄化端部）によって固定される。上記安全確保セルの外側に瓦礫から保護する保護カバーが設けられる。
【００１１】
上記公報に記載のセルの場合、セルを設ける場所に関して調整を行う手段やカバーする手段が何もない。即ち、これを設けることが望ましい環境と同様な対策や、同様な材質を利用していない。湾曲要素の使用によって補強することを考えていない。
【００１２】
ＵＳ２００９/２９６４２０Ａ１には、強行侵入に対する対策を取り、かつ銃弾に対して対策を取った侵入不可能な安全確保セルが開示されている。この場合、壁部、床（pavement）および天井部は鋼パネル（８６０）によってカバーしている。
この安全確保セルには、制限および便利性に関してＦＲ２７５３２２３Ａ１と同じ問題がある。
【００１３】
安全確保セルについては、地震発生時や他の自然災害発生時において、
ａ）（購入を意図している構造体のモデルに関して）建物の完全倒壊または部分倒壊、あるいは一階また二階以上の階の完全倒壊または部分倒壊に対して耐性をもたなければならない。従って、この安全確保セルは荷重抵抗についてきわめて明瞭に保障されていなければならない。
ｂ）水平構造物（壁または隣接構造物）であっても部分崩壊または完全崩壊に対して耐性をもたなければならない。
ｃ）建造物の地震弾性に対して制限をもたらす建造物の剛直化(stiffen)を行ってはならない。
【００１４】
解決しなければならない技術的課題は、建造物の居住者が容易に逃げ込むことができ、構造、外観または居住性に手を加えることなく居住空間に容易に組み込むことができる避難場所の実現である。
【００１５】
この課題は、本発明の主題である安全確保セルによって解決できる。即ち、この安全確保セルは特定の高抵抗鋼からなり、内側をパネルによって被覆し、そして外部を瓦礫から保護する保護ネットまたはネット状鋼板で被覆する。本構造体はモジュラー式であり、形状および寸法が変更可能であり、以下のａ）、ｂ）、ｃ）およびｄ）からなる。
ａ）特定の形状をもち、パネルによって被覆した特定の鋼管からなり、抵抗性を最大化した壁。
ｂ）タイルや寄木などの“仕上げ処理”するか、これらを取り付けた特定の高抵抗鋼管からなる基本構造。
ｃ）高抵抗上部構造体。
ｄ）高抵抗鋼ネットまたはネット状鋼板からなり、安全確保セルの外部を取り囲む瓦礫から保護するシステム。
【００１６】
これら特定用途に応じて製作されたモジュールは例えばコリドール（corridor、廊下）などに使用すると、“カウンターコリドール形“トンネルを形成でき、占有サイズは幅が数cm、高さが数cmに過ぎない。あるいは着替え室や家屋の他の部分にも適用できる。
【００１７】
内側をパネルで被覆した本構造体の場合、家屋の家具に合わせて塗料を塗布するだけでよい。
【００１８】
使用する材質が高品質レベルにあるため、抵抗性および軽量性を同時に満足できる。
【００１９】
モジュール式であるため、各種寸法および抵抗性の安全確保セルを構成できるだけでなく、当該セル内部に別な保護システムを形成することも可能である。
【００２０】
なお、本発明の場合、基本構造をゴム支持体に設けることができ、これ以外については、側部パネルは壁に対して所定の間隔で設ければよく、また上部は天井から一定の間隔をおいて設ければよい。
【００２１】
上記構造は解体が簡単で、除去も簡単な上に、地震発生時に損傷の恐れのあるプラスターボードのパネルも簡単に取り換え可能である。
【図面の簡単な説明】
【００２２】
【図１】本発明の主題である安全確保セルの第１実施態様を示す側面図である。
【図２】本発明の主題である安全確保セルの第１実施態様を示す断面図である。
【図３】本発明の主題である安全確保セルの第２実施態様を示す側面図である。
【図４】本発明の主題である安全確保セルの第２実施態様を示す断面図である。
【発明を実施するための形態】
【００２３】
地震発生時や他の自然災害発生時に避難する人々を保護するために好適な、居住用建造物、産業用建造物および商業用建造物のためのモジュラー式安全確保セルは高抵抗管状鋼要素（１）からなり、これら要素は高抵抗鋼からなる継ぎ手（２）によって接続する。管状要素（１）は相互に平行に配置し、継ぎ手（２）によって接続し、これらを好適なブロック手段（３）（means of blocking）によって強固に保持する。対として上記継ぎ手（２）に接続された管状要素（１）は平坦面、あるいは円筒形面を形成する。
【００２４】
本発明の安全確保セルは幅および高さを調節することも可能である。即ち、安全確保セルの幅または高さを調節するためには、管状要素（１）を継ぎ手（２）に通し、目的の幅または高さを設定すればよい。管状要素（１）のそれぞれの長さのためにスロットがあり、この内部で安全確保セルの幅および高さを調節できる。安全確保セルの長さを変えるためには、好適な接続手段によってモジュラー式長さをもつセルを多くすればよい。
【００２５】
本発明の安全確保セルの特徴は、アパートまたは家屋の通路領域、例えば廊下や、クローゼットや着替え室などの使用頻度の少ない部屋に簡単に取り付けることができる点にある。
【００２６】
本発明の安全確保セルの外部には、管状要素（１）の外面にブロック手段によって強固に保持された、瓦礫をシールドするネット（４）を被覆する。このブロック手段としては、制限するものではないが、管状要素（１）を継ぎ手（２）内に強固に保持する手段が有利である。
【００２７】
上記安全確保セルの内側はクラッドパネル（５）で被覆する。クラッドパネル（５）については、制限するものではないが、側壁および天井はプラスターボード又は木材で被覆するのが有利で、一方床（６）は、制限するわけではないが、大理石やセラミックなどの床仕上げ（floorings、フローリング）材の外観を模倣した木材やプラスチック材でクラッドするのが有利である。
【００２８】
図１および図２に示す第１実施態様では、安全確保セルは２つの水平面および２つの垂直面を形成する管状要素（１）によって構成する。各水平面の管状要素（１）は４つの継ぎ手（２）によって各垂直面の管状要素（１）に接続する。ブロック手段（３）によって強固に保持された、継ぎ手（２）によって接続された管状要素（１）の内側はクラッドパネルによって被覆する。
【００２９】
ベース部分を構成する管状要素（１）の内側は、安全確保セルを装備する空間の床材を再現する木質またはプラスチック質のクラッドパネルによって被覆する。２つの垂直面を構成する管状要素（１）および被覆水平面の内側は、木質またはプラスターボード製のクラッドパネル（５）によって必ず内側を被覆するため、このプラスターボードパネルには壁と同じ色の塗料を塗布でき、あるいは好ましい色で塗布できる。
【００３０】
上記管状要素（１）の外側は、保護ネットまたはネット状の鋼板からなる瓦礫からの保護手段（４）で保護する。
【００３１】
図３および図４に示す第２実施態様では、安全確保セルは、この安全確保セルのベース部分を構成する管状要素（１）および相互に平行に配置され、円弧形状を有し、円筒形面を形成し、継ぎ手（２）によって接続されたときにアーチ状天井（vault）または他の装飾体を形成する管状要素（１）によって構成する。
【００３２】
こだわるわけではないが、管状要素のブロック要素（３）は継ぎ手（２）内で両方の管状要素（１）のみならず被覆パネルも固定（block）するのが有利である。
【００３３】
第１実施態様および第２実施態様の両態様において、安全確保セルは、これが設けられる空間の壁に接着し、数cmの幅を占めるだけであり、その一方で避難を確保できるため安全確保セルが設けられる空間の機能を変える必要はなく、例えば廊下の場合通行は妨害なく自由に行える。
【００３４】
最後に、安全確保セルは特に外観を変更することなく上記空間に設けることができ、むしろちょっとした工夫を凝らせば家具としての可能性も考えられる。
【００３５】
なお、本発明における発見については、添付図面に示す構成に制限されることなく、当業者ならば、本発明の範囲から逸脱することなく変更などを加えることができるはずである。
【００３６】
本発明は多くの作用効果を実現でき、また従来市販されているシステムでは解決できなかった問題点を解決できるものである。
【符号の説明】
【００３７】
１：管状要素、高抵抗管状鋼要素
２：継ぎ手
３：ブロック手段
４：ネット、保護手段
５：クラッドパネル
６：床
【図１】
2015523481.tif 000003
【図２】
2015523481.tif 000004
【図３】
2015523481.tif 000005
【図４】
2015523481.tif 000006
【国際調査報告】
2015523481.tif 000007
2015523481.tif 000008
2015523481.tif 000009